(57)【特許請求の範囲】
【請求項１】
エンコードされた画像データ・ストリームをデコードして画像表示を行う画像表示方法であって、
前記画像データ・ストリームのフレームレートが第１のフレームレートから該第１のフレームレートの２分の１の第２のフレームレートに変化したときは、前記第１のフレームレートのＧＯＰの最後の表示画像を前記第２のフレームレートでの１フレーム期間、１回だけリピート表示することにより表示画像の切り替えを行うこと
を特徴とする画像表示方法。
【請求項２】
エンコードされた画像データ・ストリームをデコードして画像表示を行う画像表示方法であって、
前記画像データ・ストリームのフレームレートが第１のフレームレートから該第１のフレームレートの２分の１の第２のフレームレートに変化したときは、前記第１のフレームレートのＧＯＰの最後の２枚の表示画像をそれぞれ前記第１のフレームレートでの１フレーム期間、１回だけリピート表示することにより表示画像の切り替えを行うこと
を特徴とする画像表示方法。
【請求項３】
エンコードされた画像データ・ストリームをデコードして画像表示を行う画像表示方法であって、
前記画像データ・ストリームのフレームレートが第１のフレームレートから該第１のフレームレートの２倍の第２のフレームレートに変化したときは、前記第１のフレームレートのＧＯＰの最後の表示画像を前記第１のフレームレートでの１フレーム期間だけ非表示とすることにより表示画像の切り替えを行うこと
を特徴とする画像表示方法。
【請求項４】
エンコードされた画像データ・ストリームをデコードして画像表示を行う画像表示方法であって、
前記画像データ・ストリームのフレームレートが第１のフレームレートから該第１のフレームレートの２倍の第２のフレームレートに変化したときは、前記第１のフレームレートのＧＯＰの最後の２枚の表示画像については、それぞれ前記第２のフレームレートでの１フレーム期間、表示することにより表示画像の切り替えを行うこと
を特徴とする画像表示方法。
【請求項５】
エンコードされた画像データ・ストリームをデコードして画像表示を行う画像表示方法であって、
前記画像データ・ストリームのフレームレートが第１のフレームレートから該第１のフレームレートの２分の１の第２のフレームレートに変化したときは、前記第１のフレームレートのＧＯＰの最後の２枚の表示画像をそれぞれ前記第１のフレームレートでの１フレーム期間、１回だけリピート表示することにより表示画像の切り替えを行い、
その後、前記画像データ・ストリームのフレームレートが前記第２のフレームレートから前記第１のフレームレートに変化したときは、前記第２のフレームレートのＧＯＰの最後の２枚の表示画像については、それぞれ前記第１のフレームレートでの１フレーム期間、表示することにより表示画像の切り替えを行うこと
を特徴とする画像表示方法。
【請求項６】
エンコードされた画像データ・ストリームをデコードして画像表示を行う画像表示装置であって、
表示画像の切り替えを行う表示画像切り替え手段を備え、
該表示画像切り替え手段は、
表示画像切り替えタイミングと、該表示画像切り替えタイミングの有効／無効を制御する表示画像切り替えイネーブル信号を生成し、
前記画像データ・ストリーム内のリピート表示フラグが１枚表示を示している場合は、第１のフレームレートのＧＯＰの先頭の表示画像の表示開始時から前記第１のフレームレートの２倍のフレームレートの第２のフレームレートに変化するまでの期間の前記表示画像切り替えイネーブル信号のディセーブル期間の長さを前記第２のフレームレートでの１フレーム期間とし、前記第２のフレームレートのＧＯＰの先頭の表示画像の表示開始時から前記第１のフレームレートに変化するまでの期間の前記表示画像切り替えイネーブル信号のディセーブル期間の長さを０とし、前記第１のフレームレートから前記第２のフレームレートへの変化時から前記第２のフレームレートのＧＯＰの先頭の表示画像の表示開始前までの期間の長さを０とし、前記第２のフレームレートから前記第１のフレームレートへの変化時から前記第１のフレームレートのＧＯＰの先頭の表示画像の表示開始前までの期間の長さを前記第２のフレームレートでの１フレーム期間とし、
前記リピート表示フラグが２枚表示を示している場合は、前記第１のフレームレートのＧＯＰの先頭の表示画像の表示開始時から前記第２のフレームレートに変化するまでの期間の前記表示画像切り替えイネーブル信号のディセーブル期間の長さを前記第２のフレームレートでの３フレーム期間とし、前記第２のフレームレートのＧＯＰの先頭の表示画像の表示開始時から前記第１のフレームレートに変化するまでの期間の前記表示画像切り替えイネーブル信号のディセーブル期間の長さを前記第２のフレームレートの１フレーム期間とし、前記第１のフレームレートから前記第２のフレームレートへの変化時から前記第２のフレームレートのＧＯＰの先頭の表示画像の表示開始前までの期間の長さを前記第２のフレームレートでの２フレーム期間とし、前記第２のフレームレートから前記第１のフレームレートへの変化時から前記第１のフレームレートのＧＯＰの先頭の表示画像の表示開始前までの期間の長さを前記第２のフレームレートでの２フレーム期間とし、
前記リピート表示フラグが３枚表示を示している場合は、前記第１のフレームレートのＧＯＰの先頭の表示画像の表示開始時から前記第２のフレームレートに変化するまでの期間の前記表示画像切り替えイネーブル信号のディセーブル期間の長さを前記第２のフレームレートでの５フレーム期間とし、前記第２のフレームレートのＧＯＰの先頭の表示画像の表示開始時から前記第１のフレームレートに変化するまでの期間の前記表示画像切り替えイネーブル信号のディセーブル期間の長さを前記第２のフレームレートの２フレーム期間とし、前記第１のフレームレートから前記第２のフレームレートへの変化時から前記第２のフレームレートのＧＯＰの先頭の表示画像の表示開始前までの期間の長さを前記第２のフレームレートでの４フレーム期間とし、前記第２のフレームレートから前記第１のフレームレートへの変化時から前記第１のフレームレートのＧＯＰの先頭の表示画像の表示開始前までの期間の長さを前記第２のフレームレートでの３フレーム期間とする基準の下に前記表示画像切り替えイネーブル信号を生成し、
前記表示画像切り替えイネーブル信号がイネーブル状態にあるときは、前記表示画像切り替えタイミングを有効として表示画像の切り替えを行い、前記表示画像切り替えイネーブル信号がディセーブル状態にあるときは、前記表示画像切り替えタイミングを無効として表示画像の切り替えを行わないこと
を特徴とする画像表示装置。
【発明の詳細な説明】
【０００１】
【発明の属する技術分野】
本発明は、エンコードされた画像データ・ストリームをデコードして画像表示を行う画像表示方法及び装置に関する。
【０００２】
たとえば、ＭＰＥＧ（Moving Picture Experts Group）を利用した衛星多チャネル・デジタル放送においては、ＭＰＥＧストリームのフレームレートを、通常画質の画像を表示しようとする場合には３０Ｈzとし、高画質の画像を表示しようとする場合には６０Ｈzとすることが考えられる。
【０００３】
そこで、ＭＰＥＧを利用した衛星多チャネル・デジタル放送用の受信機に備えられる画像表示装置は、ＭＰＥＧストリームのフレームレートが変化する場合があることを前提とし、ＭＰＥＧストリームのフレームレートが変化した場合においても、表示画像の切り替えをシームレスに行うことができるものであることが要請される。
【０００４】
【従来の技術】
図１０はＧＯＰ（group of pictures）のピクチャ数を９とした場合において、ＭＰＥＧストリームのフレームレートが６０Ｈzから３０Ｈzに変化したときの理想的な表示タイミングを示すタイミングチャートであり、図１０ＡはＭＰＥＧデコーダでデコードされる画像の並び、図１０Ｂはディスプレイに表示される表示画像の並びを示している。
【０００５】
図１０中、ＩはＩ（Intra）ピクチャ、ＰはＰ（Predictive）ピクチャ、ＢはＢ（Bidirectionally predictive）ピクチャを示しており、これらＩ、Ｐ、Ｂに添えられた数字は、ディスプレイに表示されるべき順序を示している。他の図でも同様である。
【０００６】
本例は、ＭＰＥＧストリームのフレームレートが６０Ｈzから３０Ｈzに変化したときは、フレームレートを６０ＨzとするストリームのピクチャＰ８を表示した後、これに続いて、フレームレートを３０ＨzとするストリームのピクチャＢ０〜Ｐ８を順に表示するというものである。
【０００７】
しかし、本例の場合、フレームレートを３０ＨzとするストリームのピクチャＢ０のデコード・タイミングと表示タイミングとが重なってしまうので、本例は実現が困難である。
【０００８】
図１１はＧＯＰのピクチャ数を９とした場合において、ＭＰＥＧストリームのフレームレートが３０Ｈzから６０Ｈzに変化したときの理想的な表示タイミングを示すタイミングチャートであり、図１１ＡはＭＰＥＧデコーダでデコードされる画像の並び、図１１Ｂはディスプレイに表示される表示画像の並びを示している。
【０００９】
本例は、ＭＰＥＧストリームのフレームレートが３０Ｈzから６０Ｈzに変化したときは、フレームレートを３０ＨzとするストリームのピクチャＰ８を表示した後、これに続いて、フレームレートを６０ＨzとするストリームのピクチャＢ０〜Ｐ８を順に表示するというものである。
【００１０】
しかし、本例の場合、フレームレートを６０ＨzとするストリームのピクチャＰ５のデコード時点において、フレームレートを３０ＨzとするストリームのピクチャＰ５、Ｐ８と、フレームレートを６０ＨzとするストリームのピクチャＩ２、Ｂ０、Ｂ１、Ｐ５との合計６フレームの画像を保持する必要があるので、メモリ容量の増加及びメモリ制御の複雑化という不都合が生じてしまう。
【００１１】
図１２は従来のＭＰＥＧ画像表示装置を使用した場合の表示タイミングを示すタイミングチャートであり、ＧＯＰのピクチャ数を９とした場合において、ＭＰＥＧストリームのフレームレートが６０Ｈzから３０Ｈzに変化し、その後、３０Ｈzから６０Ｈzに変化した場合を示しており、図１２ＡはＭＰＥＧデコーダでデコードされる画像の並び、図１２Ｂはディスプレイに表示される表示画像の並びを示している。
【００１２】
本例は、フレームレートに合わせてデコードのタイミングを制御するために、ＭＰＥＧストリームのフレームレートが変化するタイミングでリセット処理を行うというものである。
【００１３】
【発明が解決しようとする課題】
しかし、本例では、フレームレートの切り替わり時に、表示画像のブラックアウト又はフリーズが起こり、画面に大きな乱れが生じてしまうという問題点がある。
【００１４】
本発明は、かかる点に鑑み、メモリ容量の増加及びメモリ制御の複雑化を招くことなく、表示画像の切り替えをシームレスに行い、画像データ・ストリームのフレームレートが変化することによる画面の乱れを最小限に抑えることができるようにした画像表示方法及び装置を提供することを目的とする。
【００１５】
【課題を解決するための手段】
本発明の画像表示方法は、エンコードされた画像データ・ストリームをデコードして画像表示を行う画像表示方法であって、画像データ・ストリームのフレームレートが変化したときは、所定の画像のリピート表示又は非表示を行うことにより表示画像の切り替えを行うというものである。
【００１６】
本発明の画像表示方法によれば、画像データ・ストリームのフレームレートが変化したときは、所定の画像のリピート表示又は非表示を行うことにより表示画像の切り替えを行うとしているので、メモリ容量の増加及びメモリ制御の複雑化を招くことなく、表示画像の切り替えをシームレスに行うことができる。
【００１７】
本発明の画像表示装置は、エンコードされた画像データ・ストリームをデコードして画像表示を行う画像表示装置であって、画像データ・ストリームのフレームレートが変化したときは、所定の画像のリピート表示又は非表示を行うことにより表示画像の切り替えを行う表示画像切り替え手段を備えているというものである。
【００１８】
本発明の画像表示装置によれば、画像データ・ストリームのフレームレートが変化したときは、所定の画像のリピート表示又は非表示を行うことにより表示画像の切り替えを行う表示画像切り替え手段を備えているので、メモリ容量の増加及びメモリ制御の複雑化を招くことなく、表示画像の切り替えをシームレスに行うことができる。
【００１９】
【発明の実施の形態】
以下、図１〜図９を参照して、本発明の画像表示方法及び装置の実施形態について、本発明の画像表示方法及び装置をそれぞれＭＰＥＧ画像表示方法及び装置に適用した場合を例にして説明する。
【００２０】
本発明の画像表示方法の第１実施形態・・図１
図１は本発明の画像表示方法の第１実施形態であるＭＰＥＧ画像表示方法を示すタイミングチャートであり、図１ＡはＭＰＥＧデコーダでデコードされる画像の並び、図１Ｂはディスプレイに表示される表示画像の並びを示している。
【００２１】
本例は、ＧＯＰのピクチャ数を９とした場合において、ＭＰＥＧストリームのフレームレートが６０Ｈzから３０Ｈzに変化したときは、フレームレートを６０Ｈzとするストリームの最後のピクチャＰ８をフレームレートが３０Ｈzでの１フレーム期間（１／３０秒間）、リピート表示し、これに続いて、フレームレートを３０ＨzとするストリームのピクチャＢ０〜Ｐ８を順に表示することにより表示画像の切り替えをシームレスに行うとするものである。
【００２２】
本例によれば、ＭＰＥＧストリームのフレームレートが６０Ｈzから３０Ｈzに変化したときは、フレームレートを６０Ｈzとするストリームの最後のピクチャＰ８をリピート表示することにより表示画像の切り替えをシームレスに行うとしているので、メモリ容量の増加及びメモリ制御の複雑化を招くことなく、表示画像の切り替えをシームレスに行うことができ、ＭＰＥＧストリームのフレームレートが６０Ｈzから３０Ｈzに変化することによる画面の乱れを最小限に抑えることができる。
【００２３】
本発明の画像表示方法の第２実施形態・・図２
図２は本発明の画像表示方法の第２実施形態であるＭＰＥＧ画像表示方法を示すタイミングチャートであり、図２ＡはＭＰＥＧデコーダでデコードされる画像の並び、図２Ｂはディスプレイに表示される表示画像の並びを示している。
【００２４】
本例は、ＧＯＰのピクチャ数を９とした場合において、ＭＰＥＧストリームのフレームレートが６０Ｈzから３０Ｈzに変化したときは、フレームレートを６０Ｈzとするストリームの最後の２枚のピクチャＢ７、Ｐ８をそれぞれフレームレートが６０Ｈzでの１フレーム期間（１／６０秒間）、リピート表示し、これに続いて、フレームレートを３０ＨzとするストリームのピクチャＢ０〜Ｐ８を順に表示することにより表示画像の切り替えをシームレスに行うとするものである。
【００２５】
このように、本例によれば、ＭＰＥＧストリームのフレームレートが６０Ｈzから３０Ｈzに変化したときは、フレームレートを６０Ｈzとするストリームの最後の２枚のピクチャＢ７、Ｐ８をそれぞれリピート表示することにより表示画像の切り替えをシームレスに行うとしているので、メモリ容量の増加及びメモリ制御の複雑化を招くことなく、表示画像の切り替えをシームレスに行うことができ、ＭＰＥＧストリームのフレームレートが６０Ｈzから３０Ｈzに変化することによる画面の乱れを最小限に抑えることができる。
【００２６】
本発明の画像表示方法の第３実施形態・・図３
図３は本発明の画像表示方法の第３実施形態であるＭＰＥＧ画像表示方法を示すタイミングチャートであり、図３ＡはＭＰＥＧデコーダでデコードされる画像の並び、図３Ｂはディスプレイに表示される表示画像の並びを示している。
【００２７】
本例は、ＧＯＰのピクチャ数を９とした場合において、ＭＰＥＧストリームのフレームレートが３０Ｈzから６０Ｈzに変化したときは、フレームレートを３０Ｈzとするストリームの最後のピクチャＰ８を非表示とし、フレームレートを３０Ｈzとするストリームの最後から２番目のピクチャＢ７を表示した後、これに続いてフレームレートを６０ＨzとするストリームのピクチャＢ０〜Ｐ８を順に表示することにより表示画像の切り替えをシームレスに行うとするものである。
【００２８】
本例によれば、ＭＰＥＧストリームのフレームレートが３０Ｈzから６０Ｈzに変化したときは、フレームレートを３０Ｈzとするストリームの最後のピクチャＰ８を非表示とすることにより表示画像の切り替えをシームレスに行うとしているので、メモリ容量の増加及びメモリ制御の複雑化を招くことなく、表示画像の切り替えをシームレスに行うことができ、ＭＰＥＧストリームのフレームレートが３０Ｈzから６０Ｈzに変化することによる画面の乱れを最小限に抑えることができる。
【００２９】
本発明の画像表示方法の第４実施形態・・図４
図４は本発明の画像表示方法の第４実施形態であるＭＰＥＧ画像表示方法を示すタイミングチャートであり、図４ＡはＭＰＥＧデコーダでデコードされる画像の並び、図４Ｂはディスプレイに表示される表示画像の並びを示している。
【００３０】
本例は、ＧＯＰのピクチャ数を９とした場合において、ＭＰＥＧストリームのフレームレートが３０Ｈzから６０Ｈzに変化したときは、フレームレートを３０Ｈzとするストリームの最後の２枚のピクチャＢ７、Ｐ８を連続してフレームレートが６０Ｈzでの１フレーム期間（１／６０秒間）表示し、これに続いて、フレームレートを６０ＨzとするストリームのピクチャＢ０〜Ｐ８を順に表示することにより表示画像の切り替えをシームレスに行うとするものである。
【００３１】
本例によれば、ＭＰＥＧストリームのフレームレートが３０Ｈzから６０Ｈzに変化したときは、フレームレートを３０Ｈzとするストリームの最後の２枚のピクチャＢ７、Ｐ８を連続して１／６０秒間表示することにより表示画像の切り替えをシームレスに行うとしているので、メモリ容量の増加及びメモリ制御の複雑化を招くことなく、表示画像の切り替えをシームレスに行うことができ、ＭＰＥＧストリームのフレームレートが３０Ｈzから６０Ｈzに変化することによる画面の乱れを最小限に抑えることができる。
【００３２】
本発明の画像表示方法の第５実施形態・・図５
図５は本発明の画像表示方法の第５実施形態であるＭＰＥＧ画像表示方法を示すタイミングチャートであり、図５ＡはＭＰＥＧデコーダでデコードされる画像の並び、図５Ｂはディスプレイに表示される表示画像の並びを示している。
【００３３】
本発明の画像表示方法の第５実施形態であるＭＰＥＧ画像表示方法は、ＧＯＰのピクチャ数を９とした場合において、ＭＰＥＧストリームのフレームレートが６０Ｈzから３０Ｈzに変化し、その後、３０Ｈzから６０Ｈzに変化したときを対象とするものである。
【００３４】
本例は、ＭＰＥＧストリームのフレームレートが６０Ｈzから３０Ｈzに変化したときは、フレームレートを６０Ｈzとするストリームの最後の２枚のピクチャＢ７、Ｐ８をそれぞれフレームレートが６０Ｈzでの１フレーム期間（１／６０秒間）、リピート表示し、これに続いて、フレームレートを３０ＨzとするストリームのピクチャＢ０〜Ｐ８を順に表示することにより表示画像の切り替えをシームレスに行うとするものである。
【００３５】
また、本例は、ＭＰＥＧストリームのフレームレートが３０Ｈzから６０Ｈzに変化したときは、フレームレートを３０Ｈzとするストリームの最後の２枚のピクチャＢ７、Ｐ８を連続してフレームレートが６０Ｈzでの１フレーム期間（１／６０秒間）表示し、これに続いて、フレームレートを６０ＨzとするストリームのピクチャＢ０〜Ｐ８を順に表示することにより表示画像の切り替えをシームレスに行うとするものである。
【００３６】
本例によれば、ＭＰＥＧストリームのフレームレートが６０Ｈzから３０Ｈzに変化したときは、フレームレートを６０Ｈzとするストリームの最後の２枚のピクチャＢ７、Ｐ８をそれぞれリピート表示することにより表示画像の切り替えをシームレスに行うとし、ＭＰＥＧストリームのフレームレートが３０Ｈzから６０Ｈzに変化したときは、フレームレートを３０Ｈzとするストリームの最後の２枚のピクチャＢ７、Ｐ８を連続して１／６０秒間表示することにより表示画像の切り替えをシームレスに行うとしているので、メモリ容量の増加及びメモリ制御の複雑化を招くことなく、表示画像の切り替えをシームレスに行うことができ、ＭＰＥＧストリームのフレームレートが６０Ｈzから３０Ｈzに変化することによる画面の乱れ、及び、ＭＰＥＧストリームのフレームレートが３０Ｈzから６０Ｈzに変化することによる画面の乱れを最小限に抑えることができる。
【００３７】
本発明の画像表示装置の一実施形態・・図６〜図９
図６は本発明の画像表示装置の一実施形態であるＭＰＥＧ画像表示装置の要部を示すブロック回路図である。図６中、１はディスプレイ、２はディスプレイ１における画像表示を制御すると共に、後述する表示画像切り替えイネーブル信号生成部に表示画像切り替えタイミングを与える表示制御部である。
【００３８】
また、３はＭＰＥＧストリームをデコードするＭＰＥＧデコーダ、４はＭＰＥＧデコーダ３から出力されるデコード画像データを格納する画像メモリ、５〜８は画像メモリ４を構成する１フレーム分の記憶容量を有するフレームメモリ、９は後述する表示順序管理部に制御されてフレームメモリ５〜８を選択して表示制御部２に転送すべきデコード画像データを選択するセレクタである。
【００３９】
また、ＭＰＥＧデコーダ３において、１０はディスプレイ１における表示画像切り替えタイミングを制御する表示画像切り替えタイミング制御部であり、１１はＭＰＥＧストリームからフレームレート・コードを検出するフレームレート検出部、１２はＭＰＥＧストリームからリピート表示フラグを検出して表示枚数を制御する表示枚数制御部である。
【００４０】
また、１３はフレームレート検出部１１から出力されるフレームレート検出信号と、表示枚数制御部１２から出力される表示枚数制御信号とを入力して、表示制御部２から与えられる表示画像切り替えタイミングの有効／無効を制御する表示画像切り替えイネーブル信号を生成する表示画像切り替えイネーブル信号生成部、１４は表示画像切り替えイネーブル信号生成回路１３から出力される表示画像切り替えイネーブル信号に基づいてセレクタ９を制御する表示順序管理部である。
【００４１】
本例では、表示制御部２と、画像メモリ４と、セレクタ９と、表示画像切り替えタイミング制御部１０と、表示順序管理部１４とで、表示画像切り替え手段が構成されている。
【００４２】
ここに、表示画像切り替えイネーブル信号がＨレベルの期間は、表示制御部２から与えられる表示画像切り替えタイミングが有効とされ、表示画像の切り替えのイネーブル期間とされる。また、表示画像切り替えイネーブル信号がＬレベルの場合には、表示制御部２から与えられる表示画像切り替えタイミングが無効とされ、表示画像の切り替えのディセーブル期間とされる。
【００４３】
表１は表示画像切り替えイネーブル信号のディセーブル期間の長さを示すものである。但し、「１枚表示」、「２枚表示」及び「３枚表示」はリピート表示フラグの内容である。また、「３０Ｈz期間」とはフレームレートが３０ＨzのピクチャＢ０の表示開始時からフレームレートが６０Ｈzに変化するまでの期間、「６０Ｈz期間」とはフレームレートを６０ＨzとするストリームのピクチャＢ０の表示開始時からフレームレートが３０Ｈzに変化するまでの期間、「３０Ｈz期間から６０Ｈz期間への移行期間」とはフレームレートの３０Ｈzから６０Ｈzへの変化時からフレームレートを６０ＨzとするストリームのピクチャＢ０の表示開始前までの期間、「６０Ｈz期間から３０Ｈz期間への移行期間」とはフレームレートの６０Ｈzから３０Ｈzへの変化時からフレームレートを３０ＨzとするストリームのピクチャＢ０の表示開始前までの期間である。
【００４４】
【表１】
0003928301.tif 000002
【００４５】
また、表示画像切り替えイネーブル信号は、表示画像切り替えタイミングに同期して生成を開始されるものであり、表示画像切り替えイネーブル信号の立ち上がりタイミング及び立ち下がりタイミングは、表示画像切り替えタイミングに比較して、表示画像切り替えイネーブル信号の生成時間分だけ遅延することになる。
【００４６】
図７は本発明の画像表示装置の一実施形態であるＭＰＥＧ画像表示装置の第１動作例を示すタイミングチャートであり、図７ＡはＭＰＥＧデコーダ３でデコードされる画像の並び、図７Ｂは表示画像切り替えタイミング、図７Ｃは表示画像切り替えイネーブル信号、図７Ｄはディスプレイ１に表示される表示画像を示している。なお、本例では、各ピクチャは１枚表示とされている。
【００４７】
ここに、６０Ｈz期間の場合、１枚表示の場合には、表示画像切り替えイネーブル信号のディセーブル期間は０秒とされることから、表示画像切り替えイネーブル信号は常にＨレベルとなり、表示制御部２から表示画像切り替えタイミングが与えられるごとに表示画像の切り替えが行われることになる。すなわち、フレームレートが３０Ｈzに変化するまでは、表示画像切り替えタイミングに同期して、フレームレートを６０ＨzとするストリームのピクチャＢ４、Ｐ５、Ｂ６が順に１／６０秒間ずつ表示されることになる。
【００４８】
そして、フレームレートが６０Ｈzから３０Ｈzに変化して、６０Ｈz期間から３０Ｈz期間への移行期間になると、１枚表示の場合には、表示画像切り替えイネーブル信号のディセーブル期間は１／６０秒とされるので、表示画像切り替えイネーブル信号は、１／６０秒ごとにＬレベルとＨレベルとを繰り返すことになる。
【００４９】
この結果、フレームレートを６０ＨzとするストリームのピクチャＢ６に続いてフレームレートを６０ＨzとするストリームのピクチャＢ７が１／６０秒間表示されることになるが、このピクチャＢ７の１／６０秒間の表示が終了した時点では、表示画像切り替えイネーブル信号はＬレベルとなっているので、表示画像の切り替えが行われることはない。
【００５０】
そこで、ピクチャＢ７は、１／６０秒間、リピート表示されることになるが、ピクチャＢ７のリピート表示が終了した時点では、表示画像切り替えイネーブル信号はＨレベルとなっているので、表示画像の切り替えが行われ、フレームレートを６０ＨzとするストリームのピクチャＰ８が１／６０秒間表示されることになる。
【００５１】
ここに、ピクチャＰ８の１／６０秒間の表示が終了した時点では、表示画像切り替えイネーブル信号はＬレベルとなっているので、表示画像の切り替えが行われることはなく、更に、ピクチャＰ８が１／６０秒間、リピート表示されることになるが、ピクチャＰ８の１／６０秒間のリピート表示が終了した時点では、表示画像切り替えイネーブル信号はＨレベルとなっているので、表示画像の切り替えが行われ、次に、フレームレートを３０ＨzとするストリームのピクチャＢ０が表示されることになる。
【００５２】
そして、３０Ｈz期間になると、１枚表示の場合には、表示画像切り替えイネーブル信号のディセーブル期間は１／６０秒とされることから、表示画像切り替えイネーブル信号は１／６０秒ごとにＬレベルとＨレベルとを繰り返すことになる。この結果、フレームレートを３０ＨzとするストリームのピクチャＢ０、Ｂ１、Ｉ２が順にそれぞれ１／３０秒間ずつ表示されることになる。
【００５３】
図８は本発明の画像表示装置の一実施形態であるＭＰＥＧ画像表示装置の第２動作例を示すタイミングチャートであり、図８ＡはＭＰＥＧデコーダ３でデコードされる画像の並び、図８Ｂは表示画像切り替えタイミング、図８Ｃは表示画像切り替えイネーブル信号、図８Ｄはディスプレイ１に表示される表示画像を示している。なお、本例では、各ピクチャは１枚表示とされている。
【００５４】
ここに、３０Ｈz期間の場合、１枚表示の場合には、表示画像切り替えイネーブル信号のディセーブル期間は１／３０秒とされることから、表示画像切り替えイネーブル信号は、１／６０秒ごとにＬレベルとＨレベルとを繰り返すことになる。この結果、フレームレートを３０ＨzとするストリームのピクチャＢ４、Ｐ５、Ｂ６が順に１／３０秒間ずつ表示されることになる。
【００５５】
そして、フレームレートが３０Ｈzから６０Ｈzに変化して、３０Ｈz期間から６０Ｈz期間への移行期間になると、１枚表示の場合には、表示画像切り替えイネーブル信号のディセーブル期間は０秒とされるので、表示画像切り替えイネーブル信号は常にＨレベルとなる。
【００５６】
この結果、表示画像切り替えタイミングに同期して表示画像の切り替えが行われることになるので、フレームレートを３０Ｈzとするストリームの最後の２枚のピクチャＢ７、Ｐ８は１／６０秒間ずつ順に表示される。
【００５７】
そして、６０Ｈz期間になると、１枚表示の場合には、表示画像切り替えイネーブル信号のディセーブル期間は０秒とされるので、表示画像切り替えイネーブル信号は常にＨレベルとなり、表示画像切り替えタイミングに同期して表示画像の切り替えが行われることになるので、フレームレートを６０ＨzとするストリームのピクチャＢ０〜Ｐ８が１／６０秒間ずつ順に表示されることになる。
【００５８】
図９は本発明の画像表示装置の一実施形態であるＭＰＥＧ画像表示装置の第３動作例を示すタイミングチャートであり、図９ＡはＭＰＥＧデコーダ３でデコードされる画像の並び、図９Ｂは表示画像切り替えタイミング、図９Ｃは表示画像切り替えイネーブル信号、図９Ｄはディスプレイ１に表示される表示画像を示している。なお、本例では、ピクチャＢ７は２枚表示とされ、その他のピクチャは１枚表示とされている。
【００５９】
ここに、３０Ｈz期間の場合、１枚表示の場合には、表示画像切り替えイネーブル信号のディセーブル期間は１／３０秒とされることから、表示画像切り替えイネーブル信号は、１／６０秒ごとにＬレベルとＨレベルとを繰り返すことになる。この結果、フレームレートを３０ＨzとするストリームのピクチャＢ４、Ｐ５、Ｂ６が順に１／３０秒ずつ表示されることになる。
【００６０】
そして、フレームレートが３０Ｈzから６０Ｈzに変化して、３０Ｈz期間から６０Ｈz期間への移行期間になると、表示画像切り替えイネーブル信号のディセーブル期間は、２枚表示の場合には２／６０秒とされ、１枚表示の場合には０秒とされる。
【００６１】
この結果、３０Ｈz期間から６０Ｈz期間への移行期間においては、まず、ピクチャＢ７が表示されることになるが、表示画像切り替えイネーブル信号は、２／６０秒間はＬレベルを維持することになるので、ピクチャＢ７は、２／６０秒間表示され、更に続いて表示されることになる。
【００６２】
そして、ピクチャＢ７が１／６０秒間表示されると、表示画像切り替えイネーブル信号はＨレベルになるので、表示画像切り替えタイミングに同期して表示画像の切り替えが行われ、フレームレートを３０ＨzとするストリームのピクチャＰ８が１／６０秒間だけ表示されることになる。
【００６３】
そして、６０Ｈz期間になると、１枚表示の場合には、ディセーブル期間は０秒とされることから、表示画像切り替えイネーブル信号は常にＨレベルとなり、表示制御部２から表示画像切り替えタイミングが与えられるごとに表示画像の切り替えが行われる。この結果、表示画像切り替えタイミングに同期してフレームレートを６０ＨzとするストリームのピクチャＢ０、Ｂ１、Ｉ２が順に１／６０秒間ずつ表示されることになる。
【００６４】
このように、本発明の画像表示装置の一実施形態であるＭＰＥＧ画像表示装置によれば、ＭＰＥＧストリームのフレームレートが６０Ｈzから３０Ｈzに変化したとき又は３０Ｈzから６０Ｈzに変化したときのいずれのときも、表示画像の切り替えをシームレスに行うことができるので、メモリ容量の増加及びメモリ制御の複雑化を招くことなく、ＭＰＥＧストリームのフレームレートが６０Ｈzから３０Ｈzに変化することによる画面の乱れ、及び、ＭＰＥＧストリームのフレームレートが３０Ｈzから６０Ｈzに変化することによる画面の乱れを最小限に抑えることができる。
【００６５】
【発明の効果】
以上のように、本発明の画像表示方法によれば、画像データ・ストリームのフレームレートが変化したときは、所定の画像のリピート表示又は非表示を行うことにより表示画像の切り替えを行うとしているので、メモリ容量の増加及びメモリ制御の複雑化を招くことなく、表示画像の切り替えをシームレスに行うことができ、画像データ・ストリームのフレームレートが変化することによる画面の乱れを最小限に抑えることができる。
【００６６】
また、本発明の画像表示装置によれば、画像データ・ストリームのフレームレートが変化したときは、所定の画像のリピート表示又は非表示を行うことにより表示画像の切り替えを行う表示画像切り替え手段を備えるとしているので、メモリ容量の増加及びメモリ制御の複雑化を招くことなく、表示画像の切り替えをシームレスに行うことができ、画像データ・ストリームのフレームレートが変化することによる画面の乱れを最小限に抑えることができる。
【図面の簡単な説明】
【図１】本発明の画像表示方法の第１実施形態であるＭＰＥＧ画像表示方法を示すタイミングチャート。
【図２】本発明の画像表示方法の第２実施形態であるＭＰＥＧ画像表示方法を示すタイミングチャート。
【図３】本発明の画像表示方法の第３実施形態であるＭＰＥＧ画像表示方法を示すタイミングチャート。
【図４】本発明の画像表示方法の第４実施形態であるＭＰＥＧ画像表示方法を示すタイミングチャート。
【図５】本発明の画像表示方法の第５実施形態であるＭＰＥＧ画像表示方法を示すタイミングチャート。
【図６】本発明の画像表示装置の一実施形態であるＭＰＥＧ画像表示装置の要部を示すブロック回路図である。
【図７】本発明の画像表示装置の一実施形態であるＭＰＥＧ画像表示装置の第１動作例を示すタイミングチャートである。
【図８】本発明の画像表示装置の一実施形態であるＭＰＥＧ画像表示装置の第２動作例を示すタイミングチャートである。
【図９】本発明の画像表示装置の一実施形態であるＭＰＥＧ画像表示装置の第３動作例を示すタイミングチャートである。
【図１０】ＧＯＰのピクチャ数を９とした場合において、ＭＰＥＧストリームのフレームレートが６０Ｈzから３０Ｈzに変化したときの理想的な表示タイミングを示すタイミングチャートである。
【図１１】ＧＯＰのピクチャ数を９とした場合において、ＭＰＥＧストリームのフレームレートが３０Ｈzから６０Ｈzに変化したときの理想的な表示タイミングを示すタイミングチャートである。
【図１２】従来のＭＰＥＧ画像表示装置を使用した場合の表示タイミングを示すタイミングチャートである。
【符号の説明】
５〜８  フレームメモリ
【図１】
0003928301.tif 000003
【図２】
0003928301.tif 000004
【図３】
0003928301.tif 000005
【図４】
0003928301.tif 000006
【図５】
0003928301.tif 000007
【図６】
0003928301.tif 000008
【図７】
0003928301.tif 000009
【図８】
0003928301.tif 000010
【図９】
0003928301.tif 000011
【図１０】
0003928301.tif 000012
【図１１】
0003928301.tif 000013
【図１２】
0003928301.tif 000014